(57)【要約】【課題】ユーザーがコンテンツを選択する際に参考となる参考情報を生成するために必要なコンテンツ関連情報をユーザーに負担をかけることなく特定のサーバーに通知することができるコンテンツ関連情報通知装置を提供する。【解決手段】制御部６は、光ディスク再生情報取得部６Ａ、放送番組視聴情報取得部６Ｂ、放送番組録画情報取得部６Ｃ、及び予約録画情報取得部６Ｅそれぞれが情報を取得する度に、その取得された情報をＬＡＮモジュール１０を介して所定のサーバーに通知する。【選択図】図１
2012039561.tif 000002
【特許請求の範囲】
【請求項１】
コンテンツを記録媒体に記録するコンテンツ記録部、コンテンツを記録媒体から再生するコンテンツ再生部、及びコンテンツの一種である放送番組を受信する放送受信チューナの少なくとも一つを備え、
前記コンテンツ再生部がコンテンツの再生を開始する度に、どのコンテンツが再生されたかを特定することができる情報である再生情報を取得する再生情報取得部、前記放送受信チューナで受信した放送番組が変更される度に、視聴対象の放送番組を特定することができる情報である放送番組視聴情報を取得する放送番組視聴情報取得部、前記放送受信チューナで受信した放送番組の録画（予約録画を除く）が開始される度に、どの放送番組の録画が開始されたかを特定することができる情報である放送番組録画情報を取得する放送番組録画情報取得部、及び予約録画が登録される度に、どの放送番組の予約録画が登録されたかを特定することができる情報である予約録画情報を取得する予約録画情報取得部の少なくとも一つを備え、
インターネット接続可能なＬＡＮモジュールと、
前記再生情報取得部、前記放送番組視聴情報取得部、前記放送番組録画情報取得部、及び前記予約録画情報取得部それぞれが情報を取得する度に、その取得された情報を前記ＬＡＮモジュールを介して所定のサーバーに通知する制御部とを備えることを特徴とするコンテンツ関連情報通知装置。
【請求項２】
前記コンテンツ記録部、前記コンテンツ再生部、及び前記放送受信チューナを全て備え、
前記再生情報取得部、前記放送番組視聴情報取得部、前記放送番組録画情報取得部、及び前記予約録画情報取得部を全て備える請求項１に記載のコンテンツ関連情報通知装置。
【請求項３】
前記所定のサーバーがＳＮＳ（Social Network Service）サーバーである請求項１または請求項２に記載のコンテンツ関連情報通知装置。
【請求項４】
前記ＳＮＳサーバーがTwitter（登録商標）サーバーである請求項３に記載のコンテンツ関連情報通知装置。
【請求項５】
コンテンツに関するユーザー評価が前記コンテンツ関連情報通知装置に入力される度に、その入力情報であるユーザー評価情報を取得するユーザー評価情報取得部を備え、
前記制御部が、ユーザー評価情報取得部によって取得されたユーザー評価情報を前記ＬＡＮモジュールを介して所定のサーバーに通知する請求項１〜４のいずれか１項に記載のコンテンツ関連情報通知装置。
【発明の詳細な説明】
【技術分野】
【０００１】
本発明は、ユーザーがコンテンツを選択する際に参考となる参考情報を生成するために必要なコンテンツ関連情報を特定のサーバーに通知するコンテンツ関連情報通知装置に関する。
【背景技術】
【０００２】
デジタル放送による多チャンネル化や再生専用光ディスクで提供されるコンテンツの充実化等により、ユーザーがテレビ受像機、光ディスク再生装置、光ディスク記録再生装置等を使用する際に選択可能なコンテンツ数は増加傾向にある。
【先行技術文献】
【特許文献】
【０００３】
【特許文献１】特開２００９−２２３７４９号公報（要約、段落０００４）
【特許文献２】特開２００９−１８１２６２号公報（要約、段落００２０）
【特許文献３】特表２００９−５１４０７５号公報（要約、段落００１４）
【特許文献４】特開２００７−１５０７６４号公報（要約、段落００１０）
【特許文献５】国際公開第２００５／０２７５１２号（要約、請求項１）
【発明の概要】
【発明が解決しようとする課題】
【０００４】
このため、ユーザーは、テレビ受像機、光ディスク再生装置、光ディスク記録再生装置等を使用する際に、コンテンツの選択に迷う場合があり、このような場合に何らかの参考情報を入手することができれば便利である。
【０００５】
なお、特許文献１で提案されている情報処理装置は、ブログ等の文章群を評価対象としているため、テレビ受像機、光ディスク再生装置、光ディスク記録再生装置等で取り扱われるコンテンツ、いわゆるＡＶコンテンツを選択する際に参考となる参考情報を生成するために必要なコンテンツ関連情報の通知に応用できるものではない。
【０００６】
また、特許文献２で提案されているコンテンツ評価装置は、ユーザー自身がコンテンツの評価を行う必要があり、ユーザーに負担がかかってしまうという問題を有している。
【０００７】
また、特許文献３で提案されている選択されたコンテンツアイテムをユーザーに提供する方法は、パーソナル化されたコンテンツをユーザーに配信するサービスを提供するサービスプロバイダーによって提供できる方法であって、配信サービス以外の手法でユーザーに提供されるコンテンツを選択する際に参考となる参考情報を生成するために必要なコンテンツ関連情報の通知に応用できるものではない。
【０００８】
また、特許文献４で提供されているマルチメディア視聴システムは、インターネット等の通信網を通じてのコンテンツ配信における視聴システムあって、インターネット等の通信網を通じてのコンテンツ配信以外の手法でユーザーに提供されるコンテンツを選択する際に参考となる参考情報を生成するために必要なコンテンツ関連情報の通知に応用できるものではない。
【０００９】
また、特許文献５で提供されているコンテンツ選択方法は、ユーザーがコンテンツに対する評価を入力する必要があり、ユーザーに負担がかかってしまうという問題を有している。
【００１０】
本発明は、上記の状況に鑑み、ユーザーがコンテンツを選択する際に参考となる参考情報を生成するために必要なコンテンツ関連情報をユーザーに負担をかけることなく特定のサーバーに通知することができるコンテンツ関連情報通知装置を提供することを目的とする。
【課題を解決するための手段】
【００１１】
上記目的を達成するために本発明に係るコンテンツ関連情報通知装置は、コンテンツを記録媒体に記録するコンテンツ記録部、コンテンツを記録媒体から再生するコンテンツ再生部、及びコンテンツの一種である放送番組を受信する放送受信チューナの少なくとも一つを備え、前記コンテンツ再生部がコンテンツの再生を開始する度に、どのコンテンツが再生されたかを特定することができる情報である再生情報を取得する再生情報取得部、前記放送受信チューナで受信した放送番組が変更される度に、視聴対象の放送番組を特定することができる情報である放送番組視聴情報を取得する放送番組視聴情報取得部、前記放送受信チューナで受信した放送番組の録画（予約録画を除く）が開始される度に、どの放送番組の録画が開始されたかを特定することができる情報である放送番組録画情報を取得する放送番組録画情報取得部、及び予約録画が登録される度に、どの放送番組の予約録画が登録されたかを特定することができる情報である予約録画情報を取得する予約録画情報取得部の少なくとも一つを備え、インターネット接続可能なＬＡＮモジュールと、前記再生情報取得部、前記放送番組視聴情報取得部、前記放送番組録画情報取得部、及び前記予約録画情報取得部それぞれが情報を取得する度に、その取得された情報を前記ＬＡＮモジュールを介して所定のサーバーに通知する制御部とを備える構成とする。
【００１２】
このような構成によると、ユーザーがコンテンツを選択する際に参考となる参考情報を生成するために必要なコンテンツ関連情報にそれぞれ該当している再生情報、放送番組視聴情報、放送番組録画情報、及び予約録画情報の少なくとも一つが自動的に所定のサーバーに通知されるので、ユーザーがコンテンツを選択する際に参考となる参考情報を生成するために必要なコンテンツ関連情報をユーザーに負担をかけることなく特定のサーバーに通知することができる。
【００１３】
また、前記コンテンツ記録部、前記コンテンツ再生部、及び前記放送受信チューナを全て備え、前記再生情報取得部、前記放送番組視聴情報取得部、前記放送番組録画情報取得部、及び前記予約録画情報取得部を全て備える構成が望ましい。このような構成によると、ユーザーがコンテンツを選択する際に参考となる参考情報を充実させることができる。
【００１４】
また、前記所定のサーバーの例としてＳＮＳ（Social Network Service）サーバーを挙げることができる。またに、前記ＳＮＳサーバーの例として例えばTwitter（登録商標）サーバーを挙げることができる。
【００１５】
また、コンテンツに関するユーザー評価が前記コンテンツ関連情報通知装置に入力される度に、その入力情報であるユーザー評価情報を取得するユーザー評価情報取得部を備え、前記制御部が、ユーザー評価情報取得部によって取得されたユーザー評価情報を前記ＬＡＮモジュールを介して所定のサーバーに通知するようにしてもよい。
【発明の効果】
【００１６】
本発明に係るコンテンツ関連情報通知装置によると、ユーザーがコンテンツを選択する際に参考となる参考情報を生成するために必要なコンテンツ関連情報にそれぞれ該当している再生情報、放送番組視聴情報、放送番組録画情報、及び予約録画情報の少なくとも一つが自動的に所定のサーバーに通知されるので、ユーザーがコンテンツを選択する際に参考となる参考情報を生成するために必要なコンテンツ関連情報をユーザーに負担をかけることなく特定のサーバーに通知することができる。
【図面の簡単な説明】
【００１７】
【図１】本発明の一実施形態に係るＢＤ−ｒａｙ  Ｄｉｓｃ（登録商標。以下「ＢＤ」という）レコーダーの概略構成例を示す図である。
【図２】Twitterサーバーが公開する集計結果の例を示す図である。
【図３】本発明の一実施形態に係るＢＤレコーダーの変形例を示す図である。
【発明を実施するための形態】
【００１８】
本発明の実施形態について図面を参照して以下に説明する。本発明に係るコンテンツ関連情報通知装置の一例として、ここでは、ＢＤレコーダーを用いて説明する。
【００１９】
図１は、本発明の一実施形態に係るＢＤレコーダーの概略構成例を示す図である。図１に示す本発明の一実施形態に係るＢＤレコーダーは、チューナ１と、映像音声処理部２と、ＯＳＤ（On Screen Display）部３と、出力部４と、光ディスク記録再生部５と、制御部６と、フラッシュＲＯＭ（Read Only Memory）７と、ＲＡＭ（Random Access Memory）８と、受光部９と、ＬＡＮ（Local Area Network）モジュール１０とを備えている。なお、制御部６には例えばＣＰＵ（Central Processing Unit）を用いるとよい。
【００２０】
チューナ１は、アンテナ１１から受け取ったテレビ放送信号の選局及び復調（例えばＯＦＤＭ（Orthogonal Frequency Division Multiplexing）復調）を行う。映像音声処理部２は、チューナ１から受け取った映像音声信号又は光ディスク記録再生部５で再生された映像音声信号を出力部４に送ったり、チューナ１から受け取った映像音声信号を光ディスク記録再生部５に送ったりする。ＯＳＤ部３は、制御部６からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、図１に示す本発明の一実施形態に係るＢＤレコーダーに接続されるテレビ受像機（不図示）に送出される。図１に示す本発明の一実施形態に係るＢＤレコーダーに接続されるテレビ受像機は、出力部４の出力信号に基づく映像表示および音声出力を行う。
【００２１】
光ディスク記録再生部５は、映像音声処理部２から受け取った映像音声信号を光ディスクに記録したり、光ディスクに記録されている映像音声信号を再生したりする。なお、光ディスクは、光ディスク記録再生部５に対して着脱自在に装着される。また、光ディスク記録再生部５は、少なくともＢＤ、ＤＶＤに対応しており、光ディスクが装着されると光ディスクの種類の判別を行い、判別結果に応じた再生あるいは記録を行う。
【００２２】
受光部９は、リモコン送信機（不図示）から送信されたリモコン赤外線信号を受光して電気信号に変換し、さらにその電気信号から操作コードを抽出して制御部６に出力する。制御部６は、フラッシュＲＯＭ７に格納されている制御プログラム及び各種設定（例えば、各操作コードと各機能との対応関係を示すデータテーブル等）と、受光部９から受け取った操作コードと、図１に示す本発明の一実施形態に係るＢＤレコーダーの本体に設けられている操作キー群（不図示）から出力される信号によって定まる操作コードとに応じて、図１に示す本発明の一実施形態に係るＢＤレコーダーの各部を制御する。なお、ＲＡＭ８は、制御部６が制御動作を実行するために必要なプログラムやデータなどを一時的に記憶する作業メモリとして機能する。
【００２３】
ＬＡＮモジュール１０は、ネットワークに接続されたモデム（不図示）を介して容易にインターネットに接続することができる。
【００２４】
また、制御部６は、フラッシュＲＯＭ７に予め格納されている制御プログラムを読み出して実行することにより、光ディスク再生情報取得部６Ａ、放送番組視聴情報取得部６Ｂ、放送番組録画情報取得部６Ｃ、予約録画登録部６Ｄ、予約録画情報取得部６Ｅ等の機能部として機能している。
【００２５】
光ディスク再生情報取得部６Ａは、光ディスクに格納されているコンテンツの再生がユーザー操作等によって開始される度に、どのコンテンツが再生されたかを特定することができる情報（光ディスク再生情報）を取得する。
【００２６】
そして、光ディスク再生情報取得部６Ａが光ディスク再生情報を取得すると、制御部６は直ちに光ディスク再生情報の通知を行う。より具体的には、制御部６は、フラッシュＲＯＭ７に予め格納されているTwitterクライアントアプリケーションプログラムを用いて、どのコンテンツが再生されたかを特定することができる情報（光ディスク再生情報）を、ＬＡＮモジュール１０及びモデム（不図示）を介してインターネット経由でTwitterサーバーに通知する。
【００２７】
放送番組視聴情報取得部６Ｂは、出力部４の出力信号の元になるチューナ１で受信した放送番組がユーザーの選局操作等によって変更される度に、視聴対象のコンテンツ（放送番組）を特定することができる情報（放送番組視聴情報）を取得する。この放送番組視聴情報を取得する際に、放送番組視聴情報取得部６Ｂは、フラッシュＲＯＭ７に格納されているＥＰＧ（Electronic Program Guide）データベース７Ａを利用する。なお、制御部６は、チューナ１から定期的にＥＰＧ情報を取得し、フラッシュＲＯＭ７に格納されているＥＰＧデータベース７Ａを更新している。
【００２８】
そして、放送番組視聴情報取得部６Ｂが放送番組視聴情報を取得すると、制御部６は直ちに放送番組視聴情報の通知を行う。より具体的には、制御部６は、フラッシュＲＯＭ７に予め格納されているTwitterクライアントアプリケーションプログラムを用いて、視聴対象のコンテンツ（放送番組）を特定することができる情報（放送番組視聴情報）を、ＬＡＮモジュール１０及びモデム（不図示）を介してインターネット経由でTwitterサーバーに通知する。
【００２９】
放送番組録画情報取得部６Ｃは、チューナ１で受信した放送番組の録画（予約録画を除く）がユーザーの録画操作によって開始される度に、どのコンテンツ（放送番組）の録画が開始されたかを特定することができる情報（放送番組録画情報）を取得する。この放送番組録画情報を取得する際に、放送番組録画情報取得部６Ｃは、フラッシュＲＯＭ７に格納されているＥＰＧデータベース７Ａを利用する。
【００３０】
そして、放送番組録画情報取得部６Ｃが放送番組録画情報を取得すると、制御部６は直ちに放送番組録画情報の通知を行う。より具体的には、制御部６は、フラッシュＲＯＭ７に予め格納されているTwitterクライアントアプリケーションプログラムを用いて、どのコンテンツ（放送番組）の録画が開始されたかを特定することができる情報（放送番組録画情報）を、ＬＡＮモジュール１０及びモデム（不図示）を介してインターネット経由でTwitterサーバーに通知する。
【００３１】
予約録画登録部６Ｄは、チューナ１で後に受信する放送番組の予約録画を、ユーザーの予約録画操作に従って登録する。より具体的には、予約録画登録部６Ｄは、ユーザーの予約録画操作に従って、フラッシュＲＯＭ７に格納されているＥＰＧデータベース７Ａを参照して、フラッシュＲＯＭ７に格納されている予約録画データベース７Ｂを更新する。なお、予約録画データベース７Ｂは、予約録画対象のコンテンツ（放送番組）のデータベースである。
【００３２】
予約録画情報取得部６Ｅは、予約録画登録部６Ｄによって予約録画が登録される度に、どのコンテンツ（放送番組）の予約録画が登録されたかを特定することができる情報（予約録画情報）を取得する。この予約録画情報を取得する際に、予約録画情報取得部６Ｅは、フラッシュＲＯＭ７に格納されている予約録画データベース７Ｂを利用する。
【００３３】
そして、予約録画情報取得部６Ｅが予約録画情報を取得すると、制御部６は直ちに予約録画情報の通知を行う。より具体的には、制御部６は、フラッシュＲＯＭ７に予め格納されているTwitterクライアントアプリケーションプログラムを用いて、どのコンテンツ（放送番組）の予約録画が登録されたかを特定することができる情報（予約録画情報）を、ＬＡＮモジュール１０及びモデム（不図示）を介してインターネット経由でTwitterサーバーに通知する。
【００３４】
上記の各通知の利用方法としては、例えば、或る企業が、図１に示す本発明の一実施形態に係るＢＤレコーダー等の本発明に係るコンテンツ関連情報通知装置各々からのTwitterサーバーへの通知を集計した結果を例えば図２に示すような形式でコンテンツ毎にTwitter上で公開することが考えられる。このような集計結果には、図１に示す本発明の一実施形態に係るＢＤレコーダー等の本発明に係るコンテンツ関連情報通知装置からアクセスすることができるが、Twitterクライアントアプリケーションプログラムを搭載した他の電気機器（例えばTwitterクライアントアプリケーションプログラムを搭載した携帯電話等）からもアクセスすることができる。なお、ユーザーは、Twitter上の検索機能を利用すれば、所望のコンテンツに関する集計結果に容易にアクセスすることができる。
【００３５】
上記の集計結果は、ユーザーがコンテンツを選択する際に参考となる参考情報として利用することができる。例えば、一般的に、予約録画の人数が多いコンテンツは多数の人から事前に注目されているコンテンツであり、視聴する価値が有る可能性が高いと言える。また、録画の人数が多いコンテンツは事前には余り注目されていなかったが、視聴した多数の人に録画する価値が有ると判断されているので、面白いコンテンツである可能性が高いと言える。
【００３６】
以上、本発明に係る実施形態について説明したが、本発明の範囲はこれに限定されるものではなく、発明の主旨を逸脱しない範囲で種々の変更を加えて実行することができる。
【００３７】
例えば、図１に示す本発明の一実施形態に係るＢＤレコーダーの制御部６が、図３に示すように、ユーザー評価情報取得部６Ｆとしても機能するようにしてもよい。
【００３８】
図３に示す構成の場合、ユーザー評価情報取得部６Ｆは、ユーザーがリモコン送信機を用いて或るコンテンツに関するユーザー評価を入力する度に、その入力情報すなわちユーザー評価情報を取得する。そして、ユーザー評価情報取得部６Ｆがユーザー評価情報を取得すると、制御部６は直ちにユーザー評価情報の通知を行う。より具体的には、制御部６は、フラッシュＲＯＭ７に予め格納されているTwitterクライアントアプリケーションプログラムを用いて、ユーザー評価情報を、ＬＡＮモジュール１０及びモデム（不図示）を介してインターネット経由でTwitterサーバーに通知する。
【００３９】
また、図１に示す本発明の一実施形態に係るＢＤレコーダーが、上述した光ディスク再生情報の通知、放送番組視聴情報の通知、放送番組録画情報の通知、及び予約録画情報の通知の少なくとも一つにおいて、ユーザーの属性（例えば性別や年齢など）をともに通知するようにしてもよい。これにより、ユーザーの属性別に情報を集計することが可能となり、ユーザーの属性別に、ユーザーがコンテンツを選択する際に参考となる参考情報を提供することが可能となる。同様に、図３に示す本発明の一実施形態に係るＢＤレコーダーが、上述した光ディスク再生情報の通知、放送番組視聴情報の通知、放送番組録画情報の通知、予約録画情報、及びユーザー評価情報の通知の少なくとも一つにおいて、ユーザーの属性（例えば性別や年齢など）をともに通知するようにしてもよい。
【００４０】
なお、ユーザーの属性を通知することができる構成にした場合、ユーザーの属性をどの程度まで通知するかを設定できること（例えば、性別の通知のみを許可する設定、性別及び年齢の通知のみを許可する設定、性別、年齢、及び職種の通知を許可する設定等の選択）が望ましい。
【００４１】
また、図１に示す本発明の一実施形態に係るＢＤレコーダーや図３に示す本発明の一実施形態に係るＢＤレコーダーでは、光ディスク再生情報の通知、放送番組視聴情報の通知、放送番組録画情報の通知、及び予約録画情報の通知が可能であるが、本発明はこれらに限定されることはなく、光ディスク再生情報の通知、放送番組視聴情報の通知、放送番組録画情報の通知、及び予約録画情報の通知の少なくとも一つを行う構成であればよい。したがって、本発明は、ネットワーク対応のテレビ受像機、ネットワーク対応の光ディスク再生専用装置、ネットワーク対応のＳＴＢ（Set Top Box）等にも適用可能である。
【００４２】
また、上述した実施形態では、Twitterクライアントアプリケーションプログラムを用いて情報の通知を行ったが、本発明はこれに限定されることはなく、Twitterサーバー以外のＳＮＳ（Social Network Service）サーバーに情報を通知するようにしてもよく、また、所定の公開Ｗｅｂサイトに情報を通知するようにしてもよい。
【００４３】
また、上述した実施形態では、コンテンツを記録する記録媒体がＢＤであったが、本発明はこれに限定されることはなく、ＤＶＤ、ＳＤカード、ハードディスク等他の記録媒体であっても構わない。
【符号の説明】
【００４４】
１  チューナ
２  映像音声処理部
３  ＯＳＤ部
４  出力部
５  光ディスク記録再生部
６  制御部
６Ａ  光ディスク再生情報取得部
６Ｂ  放送番組視聴情報取得部
６Ｃ  放送番組録画情報取得部
６Ｄ  予約録画登録部
６Ｅ  予約録画情報取得部
６Ｆ  ユーザー評価情報取得部
７  フラッシュＲＯＭ
７Ａ  ＥＰＧデータベース
７Ｂ  予約録画データベース
７Ｃ  Twitterクライアントアプリケーションプログラム
８  ＲＡＭ
９  受光部
１０  ＬＡＮモジュール
１１  アンテナ
【図１】
2012039561.tif 000003
【図２】
2012039561.tif 000004
【図３】
2012039561.tif 000005